(57)【要約】【課題】通信装置及びそのディジタルエンコード方式の提供。【解決手段】通信装置は二つの発射装置を具え、それがそれぞれ第１及び第２通信チャンネルで通信を進行し、各一組の発射装置が、同一の信号を同じ信号ブロックを六回連続発射し、且つ信号ブロックが五ビットコードとされ、一つの受信装置が交替で第１及び第２通信チャンネル中にあって往復周波数ジャンプし、第１及び第２発射装置の発射する信号ブロックを受信し、且つ受信装置が各一つの通信チャンネルの時間にあって位相ロック時間及び完成信号ブロックの受信時間を包括する。本発明によりデータの伝送が最良の品質を有し、且つコストが減らされ、取り付け空間を節約し使用者の操作に便利な長所を獲得する。【選択図】図１
2006109522.tif 000002
【特許請求の範囲】
【請求項１】
通信装置のディジタルエンコード方式において、
各一つの信号が５ビットのディジタルエンコードを利用して伝送され、且つ該５ビットのディジタルエンコードにあって、連続する同じ数値が多くとも二つであり、各一つの通信データ中の信号ビットの連続する同じ数値が多くとも４個であることを特徴とする、通信装置のディジタルエンコード方式。
【発明の詳細な説明】
【技術分野】
【０００１】
本発明は一種の無線通信に係り、特に、周波数ジャンプ方式で信号を受信する無線通信装置とそのデータ伝送のエンコード方式に関する。
【背景技術】
【０００２】
情報産業の高度な発展、インターネット及びパソコンの使用に伴い、データの快速流通が形成されるほか、各地区の有形距離が短縮された。一般にパソコンを使用する時、データの入力装置例えばキーボード、マウス或いはジョイスティックはいずれもケーブルでコンピュータと連接され、このため、使用時にはケーブルの長さを考慮しなければならず、使用者がある小さい範囲内に限りデータの入力が行え、機動効率が高くなく、このため無線通信の進歩により無線キーボード、無線マウス或いは無線ジョイスティックが発生した。
【０００３】
伝統的な無線マウス及び無線キーボードは使用時に、コンピュータに二組の受信モジュールを設置し、二つの受信モジュールがそれぞれマウス及びキーボード内部の発射モジュールより伝送された個別データを受け取る。このように二つの受信モジュールを設置する設計は、コストが極めて高く、配置上、比較的大きな空間を必要とする。また一方で、周知の発射モジュールは信号伝送時に時分割多重化アクセス（ＴＤＭＡ）の伝送方式を利用してデータの伝送を行い、極めて高い伝送速度を必要とし、それにより良好な受信品質を達成するため、電力消耗量が極めて高かった。
【０００４】
本発明は上述の問題に基づき、一種の周波数ジャンプ方式を利用して多重発射装置のデータを受信する通信装置及びその信号伝送のエンコード方式を提供する。
【発明の開示】
【発明が解決しようとする課題】
【０００５】
本発明の主要な目的は、一種の通信装置を提供することにあり、それは、発射装置の同一信号複数回連続発射、及び受信装置の周波数ジャンプ方式の設計により、受信装置が多重発射装置のデータを受信できるようにし、製造コストを下げ、使用者の操作に便利な長所を有するようにした通信装置であるものとする。
本発明のもう一つの目的は、取り付け空間を節約できる通信装置を提供することにある。
【０００６】
本発明のさらに一つの目的は、データの伝送が優れた品質を有する通信装置を提供することにある。
本発明のさらに一つの目的は、通信装置の特殊エンコード方式により、伝送速度を下げた通信装置に、節電の機能を持たせることにある。
【課題を解決するための手段】
【０００７】
請求項１の発明は、通信装置のディジタルエンコード方式において、各一つの信号が５ビットのディジタルエンコードを利用して伝送され、且つ該５ビットのディジタルエンコードにあって、連続する同じ数値が多くとも二つであり、各一つの通信データ中の信号ビットの連続する同じ数値が多くとも４個であることを特徴とする、通信装置のディジタルエンコード方式としている。
【発明を実施するための最良の形態】
【０００８】
本発明は第１発射装置と第２発射装置を具え、それはそれぞれ異なる周波数を有する第１通信チャンネルと第２通信チャンネルを選定して通信を行え、各一組の発射装置は同一の信号を、同じ信号ブロックを六回連続発射する方式で発射し、且つ信号ブロックが５ビットコードとされ、一つの受信装置が交替で第１及び第２通信チャンネル中にあって往復周波数ジャンプし、第１及び第２発射装置の発射する信号ブロックを受信し、且つ受信装置が各一つの通信チャンネルの時間にあって位相ロック時間及び完成信号ブロックの受信時間を包括する。
【実施例】
【０００９】
本発明は一つの受信装置が少なくとも二つの通信チャンネル中にあって周波数ジャンプ受信し、少なくとも二組の発射装置の伝送したデータを受信することを主要な特徴としている。
図１に示されるように、本発明の通信装置は二つの発射装置を具え、それは、第１発射装置１０と第２発射装置１２とされ、一般にはコンピュータ周辺設備の入力装置例えば無線キーボード或いは無線マウスにそれぞれ設置され、且つ二つの発射装置１０、１２がそれぞれ異なる周波数を有する第１通信チャンネル１４と第２通信チャンネル１６を選定し通信を行い、信号を一つの受信装置１８に向けて発射し、且つ連接インタフェースを利用してパソコン２０に連接される。そのうち、図２に示されるように、各一組の発射装置１０、１２は同一の信号を同じ信号ブロック２２を６回連続発射する方式で発射し、この受信装置は交替で、第１通信チャンネル１４及び第２通信チャンネル１６中にあって周波数ジャンプし、これにより第１発射装置１０と第２発射装置１２の発射した信号ブロック２２を受信し、且つ受信装置１８は各通信チャンネル１４、１６の時間にあって、位相ロック時間（Ｐｈａｓｅ Ｌｏｃｋ Ｔｉｍｅ）２４と完全信号ブロックの受信時間２６を含む。
【００１０】
そのうち、図３に示されるように、各一つの信号ブロック２２の開始端にそれぞれ識別コード（ＩＤ）２８及び代表シリアルナンバー３０が設置され、且つ各一つの信号ブロック２２の終端に検査コード３２（Ｃｈｅｃｋ ｓｕｍ）が設置され、識別コード２８、代表シリアルナンバー３０、及び検査コード３２の検出により一つの信号ブロック２２の完全性を検査する。
【００１１】
通信過程にあって、受信装置１８は二つの通信チャンネル１４、１６中にあって周波数ジャンプ通信し、且つ各一つの通信チャンネル１４、１６の時間は信号ブロック２２受信の時間を除き、さらに、位相ロック時間２４を含み、これにより同一の通信チャンネル１４、１６中にあって、発射装置が少なくとも３個の同じ信号ブロック２２を連続発射しなければ、一つの完全な信号ブロック２２の受信装置１８による受信を確保できず、このため発射装置１０、１２は同一のデータに対して三倍の通信チャンネル１４、１６数の信号ブロック２２を発射し、発射装置１０、１２が不定時に信号発射する時、そのうちの一つの信号ブロック２２が完全に数個の通信チャンネル１４、１６中でジャンプする受信装置１８により受信されるように確保している。
【００１２】
そのうち、上述の各一つの信号ブロック２２の発射時間は約２．６３９ミリ秒であり、二つの発射装置１０、１２がいずれも信号無発射を持続する時、図４R>４に示されるように、受信装置１８が各一つの通信チャンネル１４、１６にあって位相ロック時間２４と信号ブロック２２の待機時間３４を経過した後、次の通信チャンネル１４、１６に跳躍し、各通信チャンネル１４、１６交替で往復跳躍（ジャンプ）し、信号受信に待機する。
【００１３】
本発明にあって、受信装置１０、１２の周波数ジャンプ受信の設計により、通信時に受信装置１８を利用して多重発射装置のデータを受信し、使用者の使用に便利であるほか、大幅に通信装置の取り付け空間を節約し電力の損耗を減少し、コストを減らす長所を有し、発射装置が、同じ信号ブロックを６回連続発射することにより、データの伝送品質を保証し、任意の入力信号の遺漏を防止する。
【００１４】
一方で、上述の信号伝送の過程で、周知の１６組の４ビットエンコードの信号セットが５ビットの信号セットに変換されて伝送される。そのうち、採用される５ビットエンコードは並びにスクリーニングフローを透過し、各５ビットのエンコード中、連続する同じエンコードは二つを超過せず、信号伝送過程で、各一つの通信データ中の信号ビットの同じ数値の連続は多くとも４個であり、該５ビットエンコードは以下のとおりである。
【００１５】
【表１】
2006109522.tif 000003
【００１６】
表より分かるように、５ビットエンコードの信号セット中、各一つの信号セットは多くとも二つの０或いは二つの１を具え、隣り合う二つの信号セットが伝送を進行する時、多くとも４つの連続する９或いは四つの連続する１があるだけで、周知の４ビットコードの信号セットを伝送する時の、連続過多の９或いは連続過多の１の形成する通信不良且つ品質不良の現象を発生せず、且つこのように５ビットの特殊エンコード方式はまた本発明が僅かに相当低い伝送速度で良好な受信品質を達成できるようにする。次に上述の５ビットエンコードの信号セットのスクリーニングについて説明する。
【００１７】
図５に示されるように、上述の５ビット信号セットのスクリーニングフローにおいて、ステップＳ１０に示されるように、全ての非重複の５ビットデータセットが一つのバッファ（ｂｕｆｆｅｒ）中に入れられ、並びに１ビットカウント（ｂｉｔ−ｃｏｕｎｔ）が設定されて現在読み取っているデータセットのビット位置を代表し、リピートカウント（ｒｅｐｅａｔｐ−ｃｏｕｎｔ）が現在連続して読み取った同じ値の数を代表し、前ビットバリュー（ｌａｓｔ−ｂｉｔ−ｖａｌｕｅ）及び現在ビットバリュー（ｎｏｗ−ｂｉｔ−ｖａｌｕｅ）がそれぞれ前に読み取ったビットの数値及び現在読み取っているビットの数値を代表し、スクリーニング開始時、ステップＳ１２のように、バッファ内の対比したい５ビットデータセットを比較バッファ（ｃｏｍｐａｒｅ−ｂｕｆｆｅｒ）中に入れ、且つビットカウントを０と１でない任意値に設定し、その後順に比較バッファのビット数値を読み取り、もし数値が０であれば現在ビットカウントが０であり、もし数値が１であれば現在ビットカウントは１とされ、これはステップＳ１４とされ、さらに、前ビットカウント及び現在ビットカウントの値が同じであるか否かを比較するステップはＳ１６であり、もし両者が同じであれば、リピートカウントが１累進し即ちステップＳ１８で、さらにステップＳ２０に示されるように、ビットカウントが１累進し、且つ前ビットカウント数値が現在ビットカウント数値に等しく設定され、その後、ステップＳ２２に示されるように、ビットカウントが５を超過しないか否か判断され、即ち、この一つのビットセットの比較が完成したか否かの比較が行われ、もし完成していれば、即ちステップＳ３０のようにこのデータセットを受取並びに新たにスクリーニング開始に戻り、即ちステップ１２に戻り、もし未完成であればリピートカウントが２以上であるか否かを判断し、即ちステップＳ２４であり、ノーであればＳ１４に戻りビット数値の比較を継続して行い、もしイエスであれば、このデータセットが既に連続する二つの０或いは連続する二つの１の重複を代表し、それ削除され即ちステップＳ２６とされ、その後、ステップＳ１２に戻り、続いて次のデータセットの比較を行う。そのうち、上述のステップＳ１６中にあって、もし前ビットカウントと現在ビットカウントが異なれば、即ちステップＳ２８に示されるように、リピートカウントが０とされ、並びにステップＳ２０を実行する。
【００１８】
上述のスクリーニングフロー演算の後、１６セットの制限に符合する５ビットデータセットが得られ、これを以て周知の４ビットエンコードの信号伝送の代わりとし、良好な伝送品質を得ることができる。
以上の実施例は本発明の好ましい実施例であり、本発明の実施範囲を限定するものではなく、本発明に基づきなしうる細部の修飾或いは改変は、いずれも本発明の請求範囲に属するものとする。
【００１９】
（発明の効果）
本発明の通信装置及びそのディジタルエンコード方式によると、通信装置は二つの発射装置を具え、それがそれぞれ第１及び第２通信チャンネルで通信を進行し、各一組の発射装置が、同一の信号を同じ信号ブロックを六回連続発射し、且つ信号ブロックが五ビットコードとされ、一つの受信装置が交替で第１及び第２通信チャンネル中にあって往復周波数ジャンプし、第１及び第２発射装置の発射する信号ブロックを受信し、且つ受信装置が各一つの通信チャンネルの時間にあって位相ロック時間及び完成信号ブロックの受信時間を包括する。本発明によりデータの伝送が最良の品質を有し、且つコストが減らされ、取り付け空間を節約し使用者の操作に便利な長所を獲得する。
【図面の簡単な説明】
【００２０】
【図１】本発明の通信ブロック図である。
【図２】本発明の発射装置の信号発射と受信装置の周波数ジャンプ受信フローチャートである。
【図３】本発明の信号ブロック表示図である。
【図４】本発明のデータ発射時の受信装置周波数ジャンプフローチャート表示図である。
【図５】本発明の５ビットエンコード信号グループスクリーニングフローチャートである。
【符号の説明】
【００２１】
１０  第１発射装置、１２  第２発射装置、１４  第１通信チャンネル、１６  第２通信チャンネル、１８  受信装置、２０  パソコン、２２  信号ブロック、２４  位相ロック時間、２６  受信時間、２８  識別コード、３０  代表シリアルナンバー、３２  検査コード、３４  待機時間
【図１】
2006109522.tif 000004
【図２】
2006109522.tif 000005
【図３】
2006109522.tif 000006
【図４】
2006109522.tif 000007
【図５】
2006109522.tif 000008